(57)【要約】【課題】  背景画像をなるべく隠さないようにし、なおかつカーソルを見失い難くして操作性を向上した画像処理装置を提供する。【解決手段】  ポインティングデバイス制御部６は、マウス７が指し示す位置を検出し、動作制御部５はその検出信号により、表示制御部３によって、矢印形状の画像と矢印形状の画像上で交差する横線と縦線とをカーソルとして表示させてポインティングデバイスモードに移行し、タッチパネル２上を指で押し下げると、指押下操作制御部４がその位置を検出し、動作制御部５は表示制御部３によりカーソルを非表示にしてタッチパネルモードに移行する。【選択図】      図１
2005202887.tif 000002
【特許請求の範囲】
【請求項１】
所定の指示位置を指し示すカーソルを表示する表示器を有する画像処理装置であって、
前記表示器に表示されている前記カーソルを移動させて前記所定の指示位置を指し示すための操作手段と、
前記表示器の左右端を結ぶ線と、前記表示器の上下端を結ぶ線とを交差させ、その交点を前記操作手段の指示位置を示すカーソルとして前記表示器の画面上に表示する制御手段とを備えた、画像処理装置。
【請求項２】
前記制御手段は、前記交点に矢印形状の画像を表示させる、請求項１に記載の画像処理装置。
【請求項３】
さらに、前記表示器上に配置され、指で押し下げることにより画面上の指示位置を入力するためのタッチパネルを含み、
前記制御手段は、前記操作手段が操作されたことに応じて前記カーソルを表示する第１のモードと、前記タッチパネルが押下げられたことに応じて前記カーソルを非表示にする第２のモードとを切換える、請求項１または２に記載の画像処理装置。
【請求項４】
前記制御手段は、
前記操作手段の指示位置を検出する指示位置検出手段と、
前記指示位置検出手段によって指示位置が検出されたことに応じて、前記第１のモードに移行して前記操作手段による入力指示を可能にする動作制御手段とを含む、請求項１から３のいずれかに記載の画像表示装置。
【請求項５】
前記制御手段は、タッチパネルの押し下げられた指示位置を検出する押下位置検出手段を含み、
前記動作制御手段は、前記押下位置検出手段によって指示位置が検出されたことに応じて、前記第２のモードに移行して前記タッチパネルの押下による入力指示を可能にする、請求項４に記載の画像処理装置。
【発明の詳細な説明】
【技術分野】
【０００１】
この発明は、画像処理装置に関し、特に、表示器上で所定の位置を指し示すカーソルを表示するようなポインティングデバイスを有する画像処理装置に関する。
【背景技術】
【０００２】
デジタル複合機のような画像処理装置には、例えば液晶ディスプレイのような表示器が設けられており、画像編集処理などを行う場合、画像の位置決めを詳細に行う必要がある。このために、画面上にカーソルを表示し、マウスやトラックボールやジョイステックやカーソル移動キーなどのポインティングデバイスを用いてカーソルの位置を移動させることが行われている。
【０００３】
しかし、マウスのようなポインティングデバイスを用いて画像上の位置決めを行うためには、カーソルをある位置から他の位置へ移動させてマウス上のボタンを操作しなければならず、煩雑であるため、特開平７−１８２１１０号公報（特許文献１）には、指による簡単操作と、ポインティングデバイスによる詳細なポインティングを同時に可能にすることが記載されている。
【特許文献１】特開平７−１８２１１０号公報（段落番号００１１，００１２、図３）
【発明の開示】
【発明が解決しようとする課題】
【０００４】
しかしながら、特許文献１に限らず従来例では、画面上にカーソルを表示する場合、カーソルを小さく表示しているため、画面上でカーソルを見失ってしまうことがあり、操作ミスを招くおそれがある。そこで、カーソルを大きく表示することが考えられるが、カーソルを大きく表示すると、カーソルが背景画像を隠してしまい、使いづらい操作部となってしまう。
【０００５】
それゆえに、この発明は、背景画像をなるべく隠さないようにし、なおかつカーソルを見失い難くして操作性を向上した画像処理装置を提供することである。
【課題を解決するための手段】
【０００６】
この発明は、所定の指示位置を指し示すカーソルを表示する表示器を有する画像処理装置であって、表示器に表示されているカーソルを移動させて所定の指示位置を指し示すための操作手段と、表示器の左右端を結ぶ線および表示器の上下端を結ぶ線を交差させ、その交点を操作手段の指示位置を示すカーソルとして表示器の画面上に表示する制御手段とを備える。
【０００７】
好ましくは、交点に矢印形状の画像を表示させる。
【０００８】
好ましくは、表示器上に配置され、指で押下げることにより画面上の指示位置を入力するためのタッチパネルを含み、制御手段は操作手段が操作されたことに応じてカーソルを表示する第１のモードと、タッチパネルが押下げられたことに応じてカーソルを非表示にする第２のモードとを切換える。
【０００９】
好ましくは、制御手段は操作手段の指示位置を検出する指示位置検出手段と、指示位置検出手段によって指示位置が検出されたことに応じて、第１のモードに移行して操作手段による入力指示を可能にする動作制御手段とを含む。
【００１０】
好ましくは、制御手段はタッチパネルの押下げられた指示位置を検出する押下位置検出手段を含み、動作制御手段は押下位置検出手段によって指示位置が検出されたことに応じて、第２のモードに移行してタッチパネルの押下による入力指示を可能にする。
【発明の効果】
【００１１】
この発明によれば、表示器の左右端を結ぶ線および表示器の上下端を結ぶ線を交差させてカーソルとして表示することにより、その交点を操作手段の指示位置として視認し易くなるので、操作性を向上できる。
【発明を実施するための最良の形態】
【００１２】
図１は、この発明の一実施形態における画像処理装置を示すブロック図である。図１において、表示部１は例えば液晶表示器などによって構成されており、表示部１上にはタッチパネル２が配置されている。表示部１は表示制御部３によって表示制御され、各種画像や入力キーの画像やカーソルの画像を表示する。タッチパネル２は、押下位置検出手段としての指押下操作制御部４により制御されるとともに、指でタッチパネル２上をタッチして押下げたときに、指押下操作制御部４によりその押下位置が検出される。
【００１３】
表示制御部３と指押下操作制御部４は動作制御部５に接続されている。指押下操作制御部４で検出された押下位置検出信号は動作制御部５に与えられる。また、動作制御部５には指示位置検出手段としてのポインティングデバイス制御部６からポインティングデバイスの一例のマウス７が操作されたことに応じて、検出信号が与えられる。動作制御部５は画像処理部８に接続されており、画像処理部８から与えられる画像信号を表示制御部３に出力して表示部１に各種画像を表示させる。画像処理部８は動作制御部５に接続されて、画像処理を行う。
【００１４】
なお、この実施形態は、マウス７が操作されたときには第１のモードであるポインティングデバイスによる入力指示を行い、タッチパネル２が押下られたときには第２のモードであるタッチパネル２の押し下げによる入力指示を行うようにモードが切換えられる。
【００１５】
図２はこの発明の一実施形態における画像処理装置の動作を説明するためのフローチャートであり、図３は表示部１の表示画面を示す図である。
【００１６】
次に、図１〜図３を参照して、この発明の一実施形態の具体的な動作について説明する。図示しない電源が投入されると、動作制御部５は表示制御部３に対して、図３に示すように表示部１に入力を指示するためのボタン画像２１やその他の画像などを表示させる。ステップ（図示ではＳＰと略称する。）ＳＰ１において、動作制御部５は電源投入後、入力待ち状態になっており、利用者がマウス７を操作すると、ポインティングデバイス制御部６はマウス７の動きを検出し、検出信号を表示制御部３と動作制御部５に出力する。
【００１７】
動作制御部５はステップＳＰ２において、ポインティングデバイス制御部６からの検出信号に応じて、表示制御部３によって表示部１に図３に示す矢印形状の画像２２と、その位置を交点とする横線２３と縦線２４とをカーソルとして表示部１に表示させる。横線２３はマウス７で指し示された位置と表示部１の左右端とを結ぶ線であり、縦線２４はマウス７で指し示された位置と表示部１の上下端とを結ぶ線である。なお、カーソルとして矢印形状の画像２２を表示することなく、横線２３と縦線２４のみを表示するようにしてもよい。
【００１８】
ＣＰＵ１はカーソルを表示した後は、ステップＳＰ３においてポインティングデバイスモードに移行する。ポインティングデバイスモードでは、利用者がマウス７を操作することにより入力指示が可能にされ、矢印形状の画像２２と、横線２３と縦線２４とがマウスの動きに応じて移動するように表示部１に表示される。
【００１９】
したがって、マウス７を操作することにより横線２３と縦線２４の交点がクロスカーソルとして表示されるので、カーソルにより背景画像を隠すことがなく、利用者は指示位置を容易に判断できる。
【００２０】
さらに、クロスカーソルに加えて矢印形状の画像２２を表示することにより、指示位置を強調できるので、上記効果を保ちながら、視覚障害者にとっても指示位置を容易に判断できる。
【００２１】
なお、動作制御部５はポインティングデバイス制御部６から与えられる検出信号に応じて所望の動作を解析し、画像処理部８は動作制御部５の解析結果に基づいて、所定の動作処理を行う。
【００２２】
一方、ステップＳＰ１の入力待ち状態において、利用者がタッチパネル２の所望のボタン画像２１上を指で押下げると、指押下操作制御部４はタッチパネル２の押下位置を検出し、その検出信号を動作制御部５に与える。動作制御部５は、指押下操作制御部４からの検出信号に応じて、タッチパネル２がタッチされたことを検知し、ステップＳＰ４において、表示制御部３によって表示部１の矢印形状の画像２２と、横線２３および縦線２４を含むカーソルを非表示にさせる。そして、動作制御部５はステップＳＰ５においてタッチパネルモードへ移行する。
【００２３】
タッチパネルモードでは、指押下操作制御部４からの検出信号に応じて、タッチパネル２を押下げることにより入力指示が行われる。
【００２４】
このように、マウスの操作により、ポインティングデバイスモードへ移行し、タッチパネルの操作によりタッチパネルモードへ移行するので、利用者が望む操作モードに簡単に移行することができる。また、それぞれのモードに応じた表示となるので、入力指示の際に表示が見易く、操作が煩わしくないという利点がある。
【００２５】
なお、上述の実施形態では、タッチパネル２が押下げられたときにはカーソルを非表示にしたが、これに限ることなく、タッチパネルモードにおいても、矢印形状の画像２２と横線２３および縦線２４を含むカーソルを表示するようにしてもよい。
【００２６】
特に、視力が弱くてタッチパネル２上の文字や矢印形状の画像２２が見難い障害者にとって、横線２３と縦線２４からなるカーソルを表示することにより、入力を補助する機能として有用である。
【００２７】
また、タッチパネル２を押下げるとき、タッチパネル２の真上から見て押下げる場合は問題ないが、タッチパネル２を横斜め上方から見て押下げると、右側の隣接するボタン画像上を押下げてしまうことが度々起こり得るが、押下げた位置を横線２３と縦線２４の交点で示すことにより、そのような誤操作を軽減できる。
【００２８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【図面の簡単な説明】
【００２９】
【図１】この発明の一実施形態における画像処理装置のブロック図である。
【図２】この発明の一実施形態における画像処理装置の動作を説明するためのフローチャートである。
【図３】この発明の一実施形態における画像処理装置のタッチパネルモードでの表示例を示す図である。
【符号の説明】
【００３０】
１  表示部、２  タッチパネル、３  表示制御部、４  指押下操作制御部、５  動作制御部、６  ポインティングデバイス制御部、７  マウス、８  画像処理部、２１  ボタン画像、２２  矢印形状の画像、２３  横線、２４  縦線。
【図１】
2005202887.tif 000003
【図２】
2005202887.tif 000004
【図３】
2005202887.tif 000005